(57)【要約】【課題】本発明は、操作時において不要な当たり音を軽減させる操作機構を提供することを目的とする。【解決手段】取付部２２と、取付部２２に対して所定の回転軸を中心として回転可能に設けられた操作部２１と、取付部２２に設けられた第１固定部材２２５と、操作部２１に設けられた第２固定部材２１６と、第１固定部材２２５および第２固定部材２１６に固定または引っ掛けられており、第１固定部材２２５および第２固定部材２１６が互いに接近する方向に付勢する、エラストマーからなる弾性部材２４と、を備えた操作機構２である。【選択図】図６
2014059329.tif 000002
【特許請求の範囲】
【請求項１】
基台と、前記基台に対して所定の回転軸を中心として回転可能に設けられた操作レバーと、前記基台に設けられた第１固定部材と、前記操作レバーに設けられた第２固定部材と、前記第１固定部材および前記第２固定部材に固定または引っ掛けられており、前記第１固定部材および前記第２固定部材が互いに接近する方向に付勢する、エラストマーからなる弾性部材と、を備えた操作機構。
【請求項２】
前記第１固定部材および前記第２固定部材は、前記回転軸に対して平行かつ同方向に突出して設けられている、請求項１記載の操作機構。
【請求項３】
前記第１固定部材および前記第２固定部材には、前記弾性部材が外れないよう、前記回転軸に直交する方向に突起が設けられている、請求項１記載の操作機構。
【請求項４】
前記弾性部材は環状であり、前記環状の内部に前記第１固定部材および前記第２固定部材が配置されるように引っ掛けられている、請求項１記載の操作機構。
【請求項５】
請求項１乃至４のいずれかに記載の操作機構を備えた撮像装置。
【発明の詳細な説明】
【技術分野】
【０００１】
本発明は、ズームリングなどの操作機構またはこの操作機構を備える撮像装置に関する。
【背景技術】
【０００２】
従来の操作機構としては、特許文献１などに記載するような操作機構が存在する。この操作機構は、主にデジタルスチルカメラやビデオカメラ等の撮像装置に備えられるものであり、ズーム操作を可能にしたものである。
【０００３】
この従来の操作機構７００は、図１０に示すように、ねじりばね１２４に設けられた腕部１２４２および１２４３が、使用者により回動操作される操作部の裏面に設けられた規制突起１２１６と、撮像装置の筐体側に固定された取付部の裏面に設けられた規制部１２２５とを挟み込むようにして互いに向かい合って引っ掛けられている。ねじりばね１２４は、開放状態で腕部１２４２、１２４３が開くように形成されているため、腕部１２４２、１２４３は規制突起１２１６と規制部１２２５の両側に常時荷重をかけている、これによって操作部が自動的に自己復帰することを可能にしている。
【先行技術文献】
【特許文献】
【０００４】
【特許文献１】特開２００９−１７５５９３号公報
【発明の概要】
【発明が解決しようとする課題】
【０００５】
しかしながら、このような従来の操作機構では、使用者が操作部をズーム操作後に指を勢いよく離すと、前記自動復帰のためのねじりばね１２４が規制部１２２５に勢いよく当接し、当たり音を発生させる可能性があるという課題があった。近年のデジタルカメラは、静止画だけでなく動画の撮影をも可能としたものが主流となっており、動画撮影中のズーム操作で不要な音を発生させると、このような不要な音も記録されてしまう。
【０００６】
そこで、本発明は上記課題を解決するために、操作時において不要な当たり音を軽減させる操作機構を提供することを目的とする。
【課題を解決するための手段】
【０００７】
本発明の操作機構は上記課題を解決するために、取付部と、取付部に対して所定の回転軸を中心として回転可能に設けられた操作部と、取付部に設けられた第１固定部材と、操作部に設けられた第２固定部材と、第１固定部材および第２固定部材に固定または引っ掛けられており、第１固定部材および第２固定部材が互いに接近する方向に付勢する、エラストマーからなる弾性部材と、を備えた操作機構である。
【０００８】
上記構成により操作部が自動復帰する時、当接物はシリコンゴム等のエラストマーとなるため当たり音はねじりばねに比較して極めて発生しにくい。
【発明の効果】
【０００９】
本発明によれば、操作時において当たり音を軽減することができる操作機構を提供できる。
【図面の簡単な説明】
【００１０】
【図１】本実施の形態にかかる操作機構を備える撮像装置の斜視図
【図２】本実施の形態にかかる操作機構を備える撮像装置の構成図
【図３】本実施の形態にかかる操作機構の構成を説明するための分解斜視図
【図４】本実施の形態にかかる操作機構の構成を説明するための分解斜視図
【図５】本実施の形態にかかる操作機構の上面図
【図６】図５のＡＡ線による断面図
【図７】本実施の形態にかかる操作機構の下面図
【図８Ａ】本実施の形態における操作機構２の下面斜視図
【図８Ｂ】本実施の形態における操作機構２の操作時の下面斜視図
【図９Ａ】本実施の形態にかかる操作部の斜視図
【図９Ｂ】本実施の形態にかかる取付部の下面図
【図１０】従来の操作機構を説明する断面図
【発明を実施するための形態】
【００１１】
（実施の形態１）
以下、本発明の一実施の形態について図面を参照して説明する。
【００１２】
１．操作機構２の構成
図１は、本実施の形態における操作機構２を備える撮像装置１の斜視図である。図２は、本実施の形態における操作機構２を備える撮像装置１の電気的構成図である。図３、４は、本実施の形態における操作機構２の分解斜視図である。図５は、本実施の形態における操作機構２の上面図である。図６は、図５のＡＡ線による断面図である。図７は、本実施の形態における操作機構２の下面図である。図８Ａは、本実施の形態における操作機構２の下面斜視図である。図８Ｂは、本実施の形態における操作機構２の操作時の下面斜視図である。
【００１３】
本実施の形態の操作機構２は、デジタルスチルカメラなどの撮像装置１に備えられて構成される。この操作機構２は、撮像装置１の上面部に設けられ、回動可能に構成される。また、使用者からの回動操作を受けた後に、操作部２１の自己復帰位置２１９に向けて付勢力により戻るように構成される。そしてこの操作機構２は、使用者からの回動操作を受け付けた場合、当該回動操作に応じて、撮像装置１のズーム倍率を変更するようにしたものである。操作機構２への回動操作に応じてズーム倍率を変更する方法は、従来技術を用いることができる。例えば、操作機構２からのコントローラ８に対する操作信号に基づいて、コントローラ８がズームレンズ駆動部１１を制御し、このズームレンズ駆動部１１によってレンズ系３のズームレンズを駆動する方法、または、コントローラ８に対する操作信号に基づいて、コントローラ８が画像処理回路６を制御し、画像処理回路６において電子ズームを可能にする方法がある。
【００１４】
また撮像装置１には、操作機構２以外に、ズームレンズを含むレンズ系３と、ＣＣＤイメージセンサー等の撮像素子４と、Ａ／Ｄコンバータ５と、デジタル化された画像データに対し画像処理を施す画像処理回路６と、バッファメモリ７と、制御手段としてのコントローラ８と、液晶モニタ９と、フラッシュメモリ１０と、コントローラ８の制御に基づいてズームレンズを駆動させるズームレンズ駆動部１１と、メモリーカード１３が着脱可能なカードスロット１２と、を備えている。これらの構成要素は、従来技術と同様の構成であるため、説明を省略する。
【００１５】
次に、この操作機構２の構成を図３で説明する。この操作機構２は、操作部２１と、取付部２２と、抜止部２３と、付勢部２４と、操作部２１の内側に設けられる押下部２５と、押下部２５と取付部２２の間に挟まれる弾性部２６と、押下部２５や操作部２１に接触されてコントローラ８に操作信号を出力するスイッチ部２７と、を備えて構成される。以下、本実施の形態における操作機構の具体的構成について説明する。
【００１６】
まず、操作部２１は、例えばＡＢＳ等のプラスチックにクロムメッキ処理することによって構成される。そして、この操作部２１は、略リング状に構成された基体２１１と、軸部２１２ａ，ｂ，ｃと、係合爪２１３ａ，ｂ，ｃと、基体２１１外周に設けられた指掛け２１４と、取付部２２の外側スリーブ２２２の内側に挿入される内側スリーブ２１５と、付勢部２４を規制する規制突起２１６と、ズームスイッチ２７２の操作方向検出部２７３を可動させる接触突起２１７と、押下部２５を取り付ける押下設置部２１８と、を具備して構成される（図９Ａ）。
【００１７】
指掛け２１４は、基体２１１の上面に設けられるものであり、使用者の指（例えば、人指し指）が引っ掛けられ、使用者が容易に回動操作できるようにしたものである。
【００１８】
内側スリーブ２１５は、基体２１１の下面に設けられ、基体２１１の外周よりも小さい同一円周上に設けられた複数接点を備えて構成される。これによって、内側スリーブ２１５は、取付部２２の外側スリーブ２２２の内側に挿入されて、操作部２１のスムーズな回動をできるようにしたものである。
【００１９】
軸部２１２ａ，ｂ，ｃは、基体２１１（内側スリーブ２１５）の下面を３等分する各位置から突き出るように構成される。そして、取付部２２の貫通孔２２１ａ，ｂ，ｃに挿通された状態で、貫通孔２２１ａ，ｂ，ｃのガイド部２２１２ａ，ｃに沿って可動するようにしたものである。これによって、操作部２１の一部回動を可能にしている。
【００２０】
係合爪２１３ａ，ｂ，ｃは、軸部２１２ａ，ｂ，ｃの先端に設けられ、軸部２１２ａ，ｂ，ｃよりも幅広に構成される。本実施の形態では、外側に突出するように係合爪２１３ａ，ｂ，ｃを設け、軸部２１２ａ，ｂ，ｃよりも幅広になるように構成している。
【００２１】
規制突起２１６は、軸部２１２ｂから突出して設けられ、略Ｔ字形状に構成される。そして規制突起２１６の足における左側側面２１６ａと右側側面２１６ｂに、付勢部２４が引っ掛けられることによって、規制突起２１６が、付勢部２４を規制できるようにしている。なお、この付勢部２４が規制突起２１６に引っ掛けられた場合において、付勢部２４が同様に取付部２２の規制部２２５に引っ掛けられると、操作部２１が自己復帰可能になる。この詳細については、後述する。
【００２２】
接触突起２１７は、軸部２１２ａから突出して設けられ、二つの突出部材を備える。そして、この二つの突出部材の間に、ズームスイッチ２７２の操作方向検出部２７３が挟まれ、操作部２１の回動に基づいて、ズームスイッチ２７２の操作方向検出部２７３が２方向に可動される。
【００２３】
押下設置部２１８は、操作部２１の内側周面に設けられるもので、操作部２１を切り欠いて構成される。これによって、押下部２５の取り付けを可能にしている。
【００２４】
次に、取付部２２は、例えばポリカーボネートやＡＢＳ等のプラスチックによって構成され、撮像装置１の上面に設けられる。この取付部２２は、貫通孔２２１ａ，ｂ，ｃと、外側スリーブ２２２と、押下部２５の押圧突起２５２が挿通される挿入孔２２３と、付勢部２４を規制する規制部２２５と、操作部２１の指掛け２１４に対応する位置に抜止部２３の開口部２３３を配置させる開口配置部２２６と、抜止部２３の開口端部２３２の外側への開口を係止する係止部２２８と、を具備して構成される（図９Ｂ）。
【００２５】
貫通孔２２１ａ，ｂ，ｃは、操作部２１の軸部２１２ａ，ｂ，ｃの数に対応して設けられ、取付部２２の外周側に略リング形状を描くように配置されている。そして貫通孔２２１ａ，ｂ，ｃは、少なくとも切り欠き部２２１１ａ，ｂ，ｃを有するように構成されている。すなわち、本実施の形態では、貫通孔２２１ａ，ｂ，ｃは、切り欠き部２２１１ａ，ｂ，ｃと、ガイド部２２１２ａ，ｃを有する。なお、本実施の形態では貫通孔２２１ｂは、ガイド部を有していないが、ガイド部を設けるようにしてもよい。
【００２６】
この切り欠き部２２１１ａ，ｂ，ｃは、操作部２１の係合爪２１３ａ，ｂ，ｃよりも幅広に構成され、軸部２１２ａ，ｂ，ｃをたわませずに貫通孔に挿入できるようにしたものである。ここで本実施の形態の切り欠き部２２１１ａ，ｂ，ｃは、軸部２１２ａ，ｂ，ｃをたわませずに貫通孔２２１ａ，ｂ，ｃに挿入させるため、軸部２１２ａ，ｂ，ｃの内側位置よりも中心側付近から、係合爪２１３ａ，ｂ，ｃの先端よりも外側付近まで、孔を構成するようにしている。
【００２７】
また、ガイド部２２１２ａ，ｃは、操作部２１の係合爪２１３ａ，ｂ，ｃよりも幅狭で、操作部２１の軸部２１２ａ，ｂ，ｃよりも幅広に構成され、軸部２１２ａ，ｃをガイド部２２１２ａ，ｃに沿って可動できるようにしたものである。すなわち、貫通孔２２１ａ，ｂ，ｃに操作部２１の係合爪２１３ａ，ｂ，ｃおよび軸部２１２ａ，ｂ，ｃが挿入された後、ガイド部２２１２ａ，ｃ内において軸部２１２ａ，ｃを可動させた場合、操作部２１は取付部２２から外れずに一部回動が可能である。
【００２８】
外側スリーブ２２２は、取付部２２の上面に設けられ、操作部２１の内側スリーブ２１５と相俟って、操作部２１のスムーズな回動をできるようにしたものである。
【００２９】
挿入孔２２３は、取付部２２の中心付近に設けられ、円形状の孔を構成する。これによって、押下部２５の押下突起２５２を挿通できるようにしている。
【００３０】
規制部２２５は、取付部２２の下面で、かつ、挿入孔２２３と貫通孔２２１ａ，ｂ，ｃの間における撮像装置１の裏面側に設けられ、略Ｔ字形状に構成される。付勢部２４は、Ｏリング状のエラストマー、例えばシリコンゴムで構成されている。付勢部２４には、規制部２２５の足における左側側面２２５ａ，右側側面２２５ｂ及び、操作部２１の規制突起２１６の足における左側側面２１６ａ，右側側面２１６ｂに引っ掛けられた状態で元の形状に戻ろうとする荷重を発生させる必要がある。そのため、付勢部２４のＯリングの形状は、規制部２２５の足における左側側面２２５ａ，右側側面２２５ｂ及び、操作部２１の規制突起２１６の足における左側側面２１６ａ，右側側面２１６ｂに引っ掛けられた状態よりも小さい形状に構成される。これによって、操作部２１が自己復帰可能になる。
【００３１】
開口配置部２２６は、取付部２２の下面で、かつ、撮像装置１の前面側に設けられ、抜止部２３の開口部２３３が撮像装置１の前面側に配置されるよう突出して突起を設けたものである。すなわち、自己復帰後の操作部２１の指掛け２１４が来る位置と、抜止部２３の開口部２３３が配置される位置とを同様の位置に存在させるようにしたものである。
【００３２】
係止部２２８は、取付部２２の下面で、かつ、開口配置部２２６の周辺に設けられ、抜止取付位置２２９よりも下方向に隆起させて構成している。これによって、この係止部２２８が抜止部２３の開口端部２３２を係止することができる。そして、抜止部２３の外側への開口を防止し、抜止部２３が取付部２２と操作部２１から外れることを防止している。
【００３３】
さらに、抜止部２３は、ポリアセタールなどのプラスチックによって構成され、Ｃリング状に形成される。そして、抜止部２３の設置面２３４を取付部２２の抜止取付位置２２９（切り欠き部２２１１ａ，ｂ，ｃの一部を含む）に設置させ、抜止部２３の視認面２３５を操作部２１の係合爪２１３ａ，ｂ，ｃに引っ掛けることによって、係合させる。すなわち、抜止部２３は、操作部２１が取付部２２に取り付けられた状態で、少なくとも切り欠き部２２１１ａ，ｂ，ｃが設けられた箇所において、取付部２２と係合爪２１３ａ，ｂ，ｃの間に設けられるものであり、操作部２１と取付部２２との間のスペーサの役割をするものである。これによって、操作部２１が取付部２２に取り付けられ、抜止部２３が操作部２１と取付部２２に取り付けられると、抜止部２３が、切り欠き部２２１１ａ，ｂ，ｃにおいて係合爪２１３ａ，ｂ，ｃを挿入可能にしていた部分を覆うことができる。したがって、係合爪２１３ａ，ｂ，ｃは、取付部から外れる時に通過する部分を失い、操作部２１が取付部２２から外れることを防止できる。開口端部２３２は、上記で説明したとおり、取付部２２の係止部２２８と関係して、抜止部２３が取付部２２から外れることを防止している。
【００３４】
なお抜止部２３はポリアセタールで構成されることが好ましい。これはポリアセタールが引張り、曲げの強さが大きく、強靭で優れた弾性をもっており、また、摩擦係数が少なく、耐摩耗性に優れているからである。すなわち、本実施の形態では、操作部２１を取付部２２に取り付けた後、抜止部２３を係合爪２１３ａ，ｂ，ｃに係合させる必要がある。この際、抜止部２３は、開口端部２３２が外側に引っ張られることによって、係合爪２１３ａ，ｂ，ｃに引っ掛けられる。また、操作部２１の係合爪２１３ａ，ｂ，ｃに抜止部２３を引っ掛けた後、操作部２１を回動操作すると、抜止部２３の下面（視認面）と操作部２１の係合爪２１３ａ，ｂ，ｃが摺動される。したがって、抜止部２３は、引っ張り等に耐えうる弾性と、耐摩耗性が必要であるため、ポリアセタールで構成されることが好ましい。なお、抜止部がポリアセタールで構成されることに限定されないことはいうまでもない。
【００３５】
付勢部２４は、ゴム性の弾力性を有するエラストマー、例えばシリコンゴムによって構成されるものであり、概ねＯリング状の形状をしている。
【００３６】
付勢部２４は、規制部２２５の足における左側側面２２５ａ，右側側面２２５ｂ及び、操作部２１の規制突起２１６の足における左側側面２１６ａ，右側側面２１６ｂに引っ掛けられた状態で元の形状に戻ろうとする荷重を発生させる必要がある。そのため、付勢部２４のＯリングの形状は、規制部２２５の足における左側側面２２５ａ，右側側面２２５ｂ及び、操作部２１の規制突起２１６に引っ掛けられた状態よりも小さい形状に構成される。これによって、操作部２１が自己復帰可能になる。
【００３７】
また取付部２２の規制部２２５は、略Ｔ字型をしており、突起２２５５ａと２２５５ｂを有する。操作部２１の規制突起２１６も、略Ｔ字型をしており、突起２１６６ａと２１６６ｂを有する。これによって、付勢部２４は、取付部２２の規制部２２５と操作部２１の規制突起２１６から脱落しないように構成されている。
【００３８】
押下部２５は、ＡＢＳ等のプラスチックにクロムメッキ処理することによって構成される。この押下部２５は、略円柱状に形成され、外周上に取付突起２５１と、押下突起２５２とを具備する。これによって、操作部２１の下から押下部２５を挿入し、取付突起２５１を操作部２１の押下設置部２１８に嵌合させて、押下部２５を操作部２１に取り付けさせ、上下可動するようにしている。
【００３９】
弾性部２６は、金属によって構成されるものであり、圧縮バネの形状をしている。この弾性部２６は、押下突起２５２に装着されて、押下部２５と取付部２２との間に設けられる。これによって、押下部２５が操作部２１の設置位置へ戻るようにしている。
【００４０】
スイッチ部２７は、シャッタースイッチ２７１と、ズームスイッチ２７２とを備えて構成される。スイッチ部２７は、使用者からのスイッチ部２７に対する操作を、操作信号としてコントローラ８へ出力するものである。これによって、操作信号を受け取ったコントローラ８は、各種制御を行うようにしている。
【００４１】
シャッタースイッチ２７１は、押下部２５の押下突起２５２が接触されるものであり、下方向への押下を検知する２段階スイッチである。すなわち、シャッタースイッチ２７１は、使用者からの半押しと全押しを検知できるようにしたものである。
【００４２】
ズームスイッチ２７２は、操作方向検出部２７３によって、２方向への操作を検出するものである。操作方向検出部２７３は、操作部２１の接触突起２１７に挟まれて、操作部２１の回動方向を検知するようにしたものである。これによって、ズームスイッチ２７２は、自己復帰位置２１９を挟んだ望遠（Ｔ）と広角（Ｗ）へのズーム操作を検出できるようにしている。
【００４３】
２．操作機構２の組み立て
次に、本実施の形態の操作機構２の組み立て方法を説明する。
【００４４】
まず、操作部２１に押下部２５を取り付ける。この際、押下部２５の取付突起２５１が操作部２１の押下設置部２１８に嵌合するように取り付ける。また、押下部２５の押下突起２５２に弾性部２６を装着する。
【００４５】
次に、組み立てられた操作部２１と押下部２５と弾性部２６を、取付部２２に取り付ける。この際、操作部２１の係合爪２１３ａ，ｂ，ｃを取付部２２の貫通孔２２１ａ，ｂ，ｃの切り欠き部２２１１ａ，ｂ，ｃに挿入させる。この場合、操作部２１の指掛け２１４が、撮像装置１の前面側にくるように設置する。すなわち、操作部２１の規制突起２１６と、取付部２２の規制部２２５の位置が近傍に配置されるように取り付けを行う。なお、必要ならば、操作部２１の軸部２１２ａ，ｃを切り欠き部２２１１ａ，ｃからガイド部２２１２ａ，ｃに移動させる。このようにすれば、操作部２１が取付部２２から抜け出ることを防止できるので、抜止部２３の取り付けが容易となる。
【００４６】
そして、組み立てられた操作部２１と取付部２２等に、抜止部２３を取り付ける。この抜止部２３の取り付けは、抜止部２３の開口部２３３と、開口配置部２２６が一致する方向に来るように取り付けを行う。この際、抜止部２３の開口端部２３２を外側に広げて、操作部２１の係合爪２１３ａ，ｂ，ｃに抜止部２３の視認面２３５を引っ掛けるようにするとよい。また、抜止部２３が操作部２１と取付部２２に取り付けられた後は、抜止部２３の開口端部２３２と取付部２２の係止部２２８との関係によって、抜止部２３が取付部２２から外れにくくしている。
【００４７】
ここで抜止部２３が、操作部２１と取付部２２に取り付けられると、操作部２１は、抜止部に覆われていない切り欠き部２２１１ａ，ｂ，ｃと、ガイド部２２１２ａ，ｃに沿って、軸部２１２ａ，ｂ，ｃをガイドさせることによって、一部回動を可能にしている。すなわち、本発明では、抜止部は切り欠き部の少なくとも一部を覆うことによって、操作部２１が取付部２２から抜けることを防止している。なお、抜止部２３が切り欠き部の一部を覆うように構成した場合、操作部２１の軸部は、抜止部２３に覆われていない切り欠き部をガイドとして、回動することができる。
【００４８】
さらに、組み立てられた取付部２２と操作部２１に、付勢部２４を取り付ける。
【００４９】
付勢部２４を、取付部２２の規制部２２５および操作部２１の規制突起２１６に取り付ける。具体的には、付勢部２４の片側を取付部２２の規制部２２５の側面２２５ａと、操作部２１の規制突起２１６の側面２１６ａに引っ掛ける。次に、付勢部２４のＯリングを引っ張り、取付部２２の規制部２２５の側面２２５ｂと、操作部２１の規制突起２１６の側面２１６ｂに引っ掛ける。取付部２２の規制部２２５は、略Ｔ字型をしており、突起２２５５ａと２２５５ｂを有する。操作部２１の規制突起２１６も、略Ｔ字型をしており、突起２１６６ａと２１６６ｂを有する。これによって、付勢部２４は、取付部２２の規制部２２５と操作部２１の規制突起２１６から脱落しないように構成されている。
【００５０】
そして最後に、スイッチ部２７を、シャッタースイッチ２７１が、押下部２５の押下突起２５２に接触するように、また、ズームスイッチ２７２の操作方向検知部２７３が、操作部２１の接触突起２１７に挟まれるように、設置する。
【００５１】
これによって、本実施の形態における操作機構２の組み立てが完了する。
【００５２】
３．操作機構２の動作
ここで使用者が撮像装置１の操作機構２を使用した場合の撮像装置１の動作を説明する。操作機構２の操作部２１は、自己復帰位置２１９を挟んで望遠（Ｔ）と広角（Ｗ）へのズーム操作を可能にするものである（図５）。すなわち、この操作部２１を使用者がＴ方向に指で回動すると、ズームレンズを望遠側にズーミングする。また、この操作部２１を使用者がＷ方向に指で回動すると、ズームレンズを広角側にズーミングする。そして、操作部２１を使用者がＴ又はＷ方向に指で回動した後、指を離すと、操作部２１が自己復帰位置２１９に向けて付勢され、元の位置に戻る。
【００５３】
また、操作機構２の押下部２５は、半押しおよび全押しを検知するものである。すなわち、押下部２５は、使用者が人指し指で押下部２５をある一定値以下の力で押下すると、半押しを検知する。また、使用者が押下部２５をある一定値以上の力で押下すると、全押しを検知する。この半押しと全押しを検知した押下部は、コントローラ８へ操作信号を出力し、コントローラ８は半押しと全押しに応じて様々な制御を行う。
【００５４】
上述のよう本実施の形態では、操作部２１と、貫通孔２２１ａ，ｂ，ｃが形成された取付部２２と、抜止部２３と、付勢部２４を備える。操作部２１は、基体２１１と、基体２１１から突き出た軸部２１２ａ，ｂ，ｃと、軸部２１２ａ，ｂ，ｃの先端に設けられ軸部２１２ａ，ｂ，ｃよりも幅広の係合爪２１３ａ，ｂ，ｃと、を有する。また、貫通孔２２１ａ，ｂ，ｃは、軸部２１２ａ，ｂ，ｃが挿通された状態で軸部２１２ａ，ｂ，ｃをガイドするガイド部２２１２ａ，ｃと、ガイド部２２１２ａ，ｃよりも幅広で係合爪２１３ａ，ｂ，ｃを挿入可能な切り欠き部２２１１ａ，ｂ，ｃと、を有する。そして抜止部２３は、操作部２１が取付部２２に取り付けられた状態で、少なくとも切り欠き部２２１１ａ，ｂ，ｃが設けられた箇所において取付部２２と係合爪２１３ａ，ｂ，ｃの間に設けられるよう構成する。
【００５５】
付勢部２４は、ゴム性の弾力性を有するエラストマー、例えばシリコンゴムによって構成されるものであり、概ねＯリング状の形状をしている。付勢部２４のＯリングの形状は、規制部２２５の足における左側側面２２５ａ，右側側面２２５ｂ及び、操作部２１の規制突起２１６の足における左側側面２１６ａ，右側側面２１６ｂに引っ掛けられた状態よりも小さい形状に構成される。これによって、操作部２１が自己復帰可能になる。この際、当接物はゴム性の弾力性を有するエラストマーとなるため当たり音は、金属製のねじりばねに比較して極めて発生しにくいという効果がある。また組み立ての際には、付勢部２４の片側を取付部２２の規制部２２５の側面２２５ａと、操作部２１の規制突起２１６の側面２１６ａに引っ掛けた後、付勢部２４のＯリングを引っ張り、取付部２２の規制部２２５の側面２２５ｂと、操作部２１の規制突起２１６の側面２１６ｂに引っ掛けるだけでよく、組み立ての際の作業性にも優れている。
【産業上の利用可能性】
【００５６】
本発明は、撮像装置などの電子機器に備えられる操作機構に適用可能である。より具体的には、デジタルスチルカメラ、ビデオカメラにおけるズームリング等に適用できる。
【符号の説明】
【００５７】
２  操作機構
２１  操作部
２２  取付部
２３  抜止部
２４  付勢部
２５  押下部
２１１  基体
２１２ａ，ｂ，ｃ  軸部
２１３ａ，ｂ，ｃ  係合爪
２１４  指掛け
２１９  自己復帰位置
２２１ａ，ｂ，ｃ  貫通孔
２２６  開口配置部
２２８  係止部
２２９  抜止取付位置
２２１１ａ，ｂ，ｃ  切り欠き部
２２１２ａ，ｃ  ガイド部
２３２  開口端部
２３３  開口部
２３４  設置面
２３５  視認面
【図１】
2014059329.tif 000003
【図２】
2014059329.tif 000004
【図３】
2014059329.tif 000005
【図４】
2014059329.tif 000006
【図５】
2014059329.tif 000007
【図６】
2014059329.tif 000008
【図７】
2014059329.tif 000009
【図８Ａ】
2014059329.tif 000010
【図８Ｂ】
2014059329.tif 000011
【図９Ａ】
2014059329.tif 000012
【図９Ｂ】
2014059329.tif 000013
【図１０】
2014059329.tif 000014